(57)【要約】ターミナル装置、メモリモジュール、並びに電子的コンテンツを配信する方法及びシステムであって、このシステムは、電子的コンテンツを転送するための転送媒体としてのネットワーク接続と、所定のテイラー情報に基づき上記ネットワーク接続を経て選択された電子的コンテンツを転送するためのネットワーク要素とを備え、上記テイラー情報は、ネットワーク要素からどんな電子的コンテンツを転送すべきかを定義するものであり、更に、上記ネットワーク接続を経て電子的コンテンツを受け取るためのターミナル装置を備えている。上記システムは、更に、上記テイラー情報を記憶するメモリモジュールであって、上記ターミナル装置とは個別でそして上記ターミナル装置に取り外し可能に取り付けできるメモリモジュールと、このメモリモジュールをターミナル装置に取り付ける取り付け手段とを備え、ターミナル装置は、上記メモリモジュールから上記テイラー情報を読み取り、そして上記ネットワーク接続を経てそのテイラー情報をネットワーク要素へ転送し、そして上記ネットワーク要素は、そのテイラー情報に基づいて上記ネットワーク接続を経て上記ターミナル装置へ電子的コンテンツを転送するように構成される。
2004515009.tif 000002
【特許請求の範囲】
【請求項１】
電子的コンテンツをターミナル装置へ配信する方法であって、所定のテイラー情報に基づいて選択された電子的コンテンツを転送する段階を含み、上記テイラー情報は、どんな電子的コンテンツがターミナル装置へ転送されるか定義するものである方法において、
上記ターミナル装置とは個別のもので、上記ターミナル装置に取り外し可能に取り付けできるメモリモジュールに、上記テイラー情報を記憶し、
上記メモリモジュールを上記ターミナル装置に取り付けし、
上記メモリモジュールから上記ターミナル装置へ上記テイラー情報を読み取り、そして
上記メモリモジュールから読み取ったテイラー情報に基づいて上記ターミナル装置へ電子的コンテンツを転送する、
という段階を備えたことを特徴とする方法。
【請求項２】
上記ターミナル装置へ電子的コンテンツを転送する上記段階の前に、上記ターミナル装置からＲＦリンクを経て別の装置へ上記テイラー情報を送信する段階を備え、そして
上記ターミナル装置へ電子的コンテンツを転送する上記段階は、上記ＲＦリンクを経てターミナル装置へ電子的コンテンツを転送する段階を含む請求項１に記載の方法。
【請求項３】
上記ＲＦリンクは、ショートレンジ通信のＲＦリンクであり、そして上記別の装置は、ショートレンジ通信システムのアクセスポイントである請求項２に記載の方法。
【請求項４】
上記ターミナル装置は、上記アクセスポイントのカバレージエリアに入り、
上記アクセスポイントは、上記ターミナル装置へ問合せを送信し、
上記ターミナル装置は、その問合せに応答し、
上記テイラー情報を上記アクセスポイントへ送信し、そして
上記ターミナル装置から受け取られたテイラー情報に基づいて上記アクセスポイントから上記ターミナル装置へ電子的コンテンツを転送する、
という段階を備えた請求項３に記載の方法。
【請求項５】
上記アクセスポイントから上記ターミナル装置へ新たな電子的コンテンツを自動的に転送する段階を更に備え、この新たな電子的コンテンツは、上記テイラー情報の要件を満足しそして上記ターミナル装置へ以前に転送されていないと決定されたものである請求項３に記載の方法。
【請求項６】
上記テイラー情報は、電子的コンテンツがターミナル装置へ転送される周期を定義する時間従属契約周期を含む請求項１に記載の方法。
【請求項７】
上記電子的コンテンツは、周期的に発行される項目のコピーを含む請求項６に記載の方法。
【請求項８】
上記メモリモジュールは、スマートカードである請求項１に記載の方法。
【請求項９】
上記スマートカードのシリアルナンバーを上記アクセスポイントに転送し、
上記スマートカードの有効性をそのシリアルナンバーに基づいてチェックし、そして
上記スマートカードが有効であると決定すると、電子的コンテンツを上記ターミナル装置へ転送する、
という段階を更に備えた請求項８に記載の方法。
【請求項１０】
上記電子的コンテンツは、電子的商品又はサービスの形態である請求項１に記載の方法。
【請求項１１】
上記電子的コンテンツは、映画、音楽、ゲーム、電子マガジン、定期刊行物、新聞、ｔｖニュースより成るグループから選択された少なくとも１つである請求項１０に記載の方法。
【請求項１２】
上記電子的コンテンツを上記ターミナル装置に転送する上記段階の前に、電子マネーのプリペイド金額を上記ターミナル装置から上記アクセスポイントへ転送する段階を更に備えた請求項３に記載の方法。
【請求項１３】
上記電子マネーは、上記メモリモジュールに記憶され、そして上記電子マネーは、電子マネーのプリペイド金額を上記ターミナル装置から上記アクセスポイントへ転送する上記段階の前に上記メモリモジュールから差し引かれる請求項３に記載の方法。
【請求項１４】
上記電子的コンテンツは、一連の映画を含む請求項１０に記載の方法。
【請求項１５】
上記ターミナル装置への上記電子的コンテンツの転送は、ネットワーク負荷が比較的低いレベルである１日の時刻まで遅延される請求項１に記載の方法。
【請求項１６】
上記ショートレンジＲＦリンクを経て上記ターミナル装置と通信するために上記アクセスポイントに第１トランシーバを組み込み、
上記ショートレンジＲＦリンクを経て上記ターミナル装置と通信するために上記アクセスポイントに第２トランシーバを組み込み、
上記第１トランシーバを使用して、上記ターミナル装置からテイラー情報を受け取り、
上記第１トランシーバにより受け取られたテイラー情報を上記アクセスポイントの上記第２トランシーバへ転送し、そして
上記第２トランシーバを使用して上記テイラー情報に基づいて上記ターミナル装置へ電子的コンテンツを転送する、
という段階を更に備えた請求項３に記載の方法。
【請求項１７】
電子的コンテンツを配信するシステムであって、電子的コンテンツを転送するための転送媒体としてのネットワーク接続と、所定のテイラー情報に基づき上記ネットワーク接続を経て選択された電子的コンテンツを転送するためのネットワーク要素とを備え、上記テイラー情報は、ネットワーク要素からどんな電子的コンテンツを転送すべきかを定義するものであり、更に、上記ネットワーク接続を経て電子的コンテンツを受け取るためのターミナル装置を備えたシステムにおいて、
上記テイラー情報を記憶するメモリモジュールであって、上記ターミナル装置とは個別でそして上記ターミナル装置に取り外し可能に取り付けできるメモリモジュールと、
上記メモリモジュールを上記ターミナル装置に取り付ける取り付け手段と、
を備え、上記ターミナル装置は、上記メモリモジュールから上記テイラー情報を読み取り、そして上記ネットワーク接続を経てそのテイラー情報をネットワーク要素へ転送し、そして
上記ネットワーク要素は、そのテイラー情報に基づいて上記ネットワーク接続を経て上記ターミナル装置へ電子的コンテンツを転送するように構成されたことを特徴とするシステム。
【請求項１８】
情報を記憶しそしてターミナル装置と共に使用されるメモリモジュールにおいて、
特定の電子的コンテンツに関連したテイラー情報を記憶するための記憶媒体を備え、上記テイラー情報は、メモリモジュールがターミナル装置へ転送できるよう許可するところの特定の電子的コンテンツを定義し、そして
上記メモリモジュールをターミナル装置に機械的及び電気的に接続するためのインターフェイスを備え、上記メモリモジュールは、ユーザによってターミナル装置へ取り外し可能に取り付けられ、メモリモジュールをターミナル装置に機械的及び電気的に接触させることができることを特徴とするメモリモジュール。
【請求項１９】
上記メモリモジュールは、スマートカードである請求項１８に記載のメモリモジュール。
【請求項２０】
上記メモリモジュールは、上記テイラー情報に関連した特定の電子的コンテンツに対する支払に使用される電子マネーを記憶するための記憶媒体を備えた請求項１８に記載のメモリモジュール。
【請求項２１】
ワイヤレス通信手段を有するターミナル装置において、
特定の電子的コンテンツに関連したテイラー情報を記憶するための記憶装置を備え、
上記記憶装置をターミナル装置に機械的及び電気的に接続するためのインターフェイスを備え、このインターフェイスは、記憶装置をユーザによりターミナル装置へ取り外し可能に取り付けて、記憶装置をターミナル装置に機械的及び電気的に接触させることができ、
記憶装置がターミナル装置に機械的及び電気的に接続されたときに記憶装置からターミナル装置へテイラー情報を読み取るための手段を更に備え、上記テイラー情報は、記憶装置がターミナル装置へ転送できるよう許可するところの特定の電子的コンテンツを定義し、そして
記憶装置から読み取られたテイラー情報に基づいてターミナル装置への電子的コンテンツを受け取るように、ワイヤレス通信を経てテイラー情報を送信するための手段を備えたことを特徴とするターミナル装置。
【発明の詳細な説明】
【０００１】
【技術分野】
本発明は、電子的コンテンツを配信する方法及びシステム、ターミナル装置、及びメモリモジュール、例えば、商品／サービス提供の分野におけるプリペイドスマートカードに係るが、これに限定されない。
【０００２】
【背景技術】
映画や音楽やゲームや情報等の機密のコンテンツを配信する分野では、多数の開発が近年なされている。２つの重要な問題は、配信及び支払をいかに取り扱うかである。ＷＯ００／３０１１７号は、音楽記録を商業的に配信する方法であって、音楽のデジタル記録をキオスクから自蔵のパーソナル音楽ターミナルへダウンロードし、該ターミナルがその音楽記録を電子メモリに記憶して再生できるような方法を開示している。
【０００３】
アクセスポイントからデータをダウンロードする際には、「ブルーツース（Ｂｌｕｅｔｏｏｔｈ）」のようなショートレンジ通信が必要となる。我々の目的の１つは、ブラウジング能力をもたないターミナルにインターネット及び移動テレコミュニケーション又は移動計算フィールドを集中させる利点をいかに取り入れるかの解決策を開発することである。例えば、「ブルーツース」規格が「ブルーツース」仕様書ｖ．１．０Ｂに規定されている。「ブルーツース」の１つの実施が、例えば、ＷＯ／００１８０２５号に開示されており、「ブルーツース」イネーブルされる移動ターミナルと、「ブルーツース」イネーブルされるデータターミナル、例えばＰＣとの間の「ブルーツース」リンクが開示されている。
【０００４】
インターネットは、移動ターミナルにおけるブラウザの導入により移動通信業界に目覚ましい進歩を与えたが、インターネットのコンテンツ／情報にアクセスするための別のモデルが必要になると予想される。ブラウザモデルは、ユーザの相互作用に大きく依存するが、ユーザがもっと受動的でよい他のモデルが、移動環境において特に意味をもつ。というのは、あるターミナルは、潜在的に能力に限界があり、ブラウジングのための時間がなく、そして更に、入手可能な情報の種々のソースの中で情報を迅速にアクセスする方が、自由にサーフィンするよりも重要だからである。この種の状況においては、受動的メカニズムを有するターミナルが、コンテンツダウンロードにおいてユーザの助けとなり、そして好ましくは、ブラウザベースのコンテンツアクセスモデルの特徴を保持し、どんなコンテンツをアクセスできるかについて融通性を保持する。
【０００５】
【発明の開示】
本発明の第１の特徴によれば、電子的コンテンツをターミナル装置へ配信する方法であって、所定のテイラー情報に基づいて選択された電子的コンテンツを転送する段階を含み、上記テイラー情報は、どんな電子的コンテンツがターミナル装置へ転送されるか定義するものである方法において、上記ターミナル装置とは個別のもので、上記ターミナル装置に取り外し可能に取り付けできるメモリモジュールに、上記テイラー情報を記憶し、上記メモリモジュールを上記ターミナル装置に取り付けし、上記メモリモジュールから上記ターミナル装置へ上記テイラー情報を読み取り、そして上記メモリモジュールから読み取ったテイラー情報に基づいて上記ターミナル装置へ電子的コンテンツを転送するという段階を備えた方法が提供される。
【０００６】
本発明は、ブロードキャスト型の情報アクセスシステムを経て供給されるコンテンツを調整及び仕立てるための方法を開示する。本発明は、ユーザがあるターミナルから別のターミナルへ転送するのを許すために好み又は設定を搬送できるようにする。
ダウンロードの目的でターミナルにブラウザソフトウェアは必要とされない。従って、スポットでサーフィンするのではなく、ユーザが行わねばならない唯一の能動的オペレーションは、カード又はカードに関連した情報をターミナルに挿入することである。ターミナルは、ターミナルに既にダウンロードされたコンテンツを選択するという利点を依然として有する。ターミナルは、受信した文書内でオフラインサーフィンするための手段を有してもよい。ブラウジング及びサーフィンは、例えば、サーチエンジンを使用してサーチし、そしてユーザが関心のあるページを見つけるように試みるとき、又はネットワーク接続時に所望の文書を見出すようにあるページから別のページへサーフィンするときでも、長い時間を必要とする。
【０００７】
多くのケースでは、ターミナルのユーザは、能動的であること及びブラウズすることを望まない。それ故、自動的で且つ快適に使用できるプロセスが必要となる。これを達成するために、依然としてコンテンツを選択する必要があり、これは、通常ユーザによりブラウザを使用して行われる。ここでは、本発明により、好ましい実施形態として、スマートカードが、選択情報（テイラーパラメータと称されるパラメータの形態）を記憶するための解決手段であることが提案され、この情報は、カードに記憶されて、カードからターミナルへ入力されるのが好ましい。
【０００８】
本発明の実施形態によれば、上記方法は、カードリーダーにスマートカードを挿入したターミナルのためのサービスであって、ターミナルがカードに指定されたサービスにアクセスし、そしてコンテンツが自動的にターミナルへ転送されるサービスを提供できるようにする。
更に、本発明によれば、テイラーパラメータを転送することによりサービスに契約する段階を備え、従って、その契約に基づき、新たに発生される電子的コンテンツをアクセスポイントからターミナルへ自動的に転送することができ、その新たなコンテンツは、ターミナル装置に以前に送信されなかった情報を含む。
【０００９】
更に、スマートカードをターミナルに挿入し、そしてアクセスポイントとターミナルとの間にＲＦリンクを形成すると、アクセスポイントがＲＦリンクを経てテイラーパラメータを読み取る。これは、異なるカード所有者が同じターミナル装置を使用できるようにし、従って、使用があるターミナルに束縛されない。
更に、本発明によれば、テイラーパラメータの転送は、項目の時間従属契約を含む。各消費者は、スマートカードにより支払われたある料金に対してある周期中にデジタルコンテンツを聴取、読み取り又は視聴する権利を購入することができる。次いで、この周期中に特定のコンテンツに対しアクセスポイントにおいて自動的なダウンロードを使用することができる。又、これは、サービスプロバイダーが、ユーザの人数を制御し、ユーザに関する統計学的情報を作成し、そして特定のアクセスポイントにおける供給及び需要に関する判断も行うことができるようにする。サービスプロバイダーにより制御されるアクセスポイントは、既知の地理的位置（サービスプロバイダーに知られた）に配置されるのが好ましい。各アクセスポイントの使用ログは、そのアクセスポイントの地理的位置に基づいて収集することができる。
【００１０】
更に、本発明の実施形態によれば、電子的コンテンツの契約は、周期的に発行される項目の電子コピーをターミナル装置へ転送することを含む。
更に、本発明の実施形態によれば、スマートカードのシリアルナンバーがアクセスポイントへ転送され、そのナンバーの有効性がチェックされ、そしてカードが有効な場合には、テイラーパラメータに基づくコンテンツがターミナルへ転送される。カードの有効性は、コンテンツプロバイダーにより定義された必要性に基づいてチェックすることができる。
【００１１】
更に、本発明の実施形態によれば、転送されるデータは、デジタルフォーマットの異なる情報を含み、そして全てのデジタル情報は、アクセスポイントを経てターミナルへ供給される。デジタル情報は、映画、音楽、ゲーム、電子マガジン、定期刊行物、新聞、及びｔｖニュースの少なくとも１つを含む（ブルーツースのようなショートレンジＲＦ接続を経、アクセスポイントを経てターミナル装置へ供給される）。
【００１２】
更に、本発明の実施形態によれば、転送されるデータは、コンテンツのプリペイド金額を含む。前納は、カードを購入することで行われる。カードは、カードの支払がなされたところのコンテンツを識別する情報、即ちどんなコンテンツがアクセスポイントからターミナルへ供給されるかを含む。カード識別子は、供給されるべきコンテンツを識別する。カードの無断使用により生じる損害を回避するために、カードは、それが買われた後にアクチベートされる。
更に、本発明の実施形態によれば、転送されるデータは、一連の映画を含む。これは、更に、コンテンツプロバイダーが、異なるコンテンツを供給できるようにすると共に、顧客がどのコンテンツに関心がありそしてあるコンテンツにどの程度の関心があるか見出すことができるようにする。
【００１３】
更に、本発明の実施形態によれば、ターミナルに供給されるべき商品／サービス又はコンテンツに証明が接続される。スマートカードから転送された証明をもつテイラーパラメータが、アクセスポイントの証明レジスタに記憶された証明と比較され、送信された証明と記憶された証明との間に一致が生じた場合だけ供給が許される。
更に、本発明の実施形態によれば、アクセスポイントへのコンテンツの配信は、コンピュータネットワーク又はワイヤレスブロードキャストネットワークを経て行われ、そして好ましくは、夕方遅く、朝早く又は夜間にネットワーク負荷が低いときに行うことができる。供給時刻は、配信費用に影響し、コンテンツに対して支払われるべき金額に反映される（この場合、供給される電子的コンテンツに対してスマートカードから差し引かれるユニットの数に影響する）。
【００１４】
更に、本発明の更に別の実施形態によれば、本発明は、アクセスポイントとターミナルとの間に、いかに多くの媒体、いかに多くのデータ及びどんなデータが送信されるかの情報を収集することに係る。
更に、本発明の実施形態によれば、同じアクセスポイントへの多数のユーザのアクセスを制御するための解決策が示される。
【００１５】
本発明の第２の特徴によれば、電子的コンテンツを配信するシステムであって、電子的コンテンツを転送するための転送媒体としてのネットワーク接続と、所定のテイラー情報に基づき上記ネットワーク接続を経て選択された電子的コンテンツを転送するためのネットワーク要素とを備え、上記テイラー情報は、ネットワーク要素からどんな電子的コンテンツを転送すべきかを定義するものであり、更に、上記ネットワーク接続を経て電子的コンテンツを受け取るためのターミナル装置を備えたシステムにおいて、上記テイラー情報を記憶するメモリモジュールであって、上記ターミナル装置とは個別でそして上記ターミナル装置に取り外し可能に取り付けできるメモリモジュールと、上記メモリモジュールを上記ターミナル装置に取り付ける取り付け手段とを備え、上記ターミナル装置は、上記メモリモジュールから上記テイラー情報を読み取り、そして上記ネットワーク接続を経てそのテイラー情報をネットワーク要素へ転送し、そして上記ネットワーク要素は、そのテイラー情報に基づいて上記ネットワーク接続を経て上記ターミナル装置へ電子的コンテンツを転送するように構成されたシステムが提供される。
【００１６】
本発明の第３の特徴によれば、情報を記憶しそしてターミナル装置と共に使用されるメモリモジュールにおいて、特定の電子的コンテンツに関連したテイラー情報を記憶するための記憶媒体を備え、上記テイラー情報は、メモリモジュールがターミナル装置へ転送できるよう許可するところの特定の電子的コンテンツを定義し、そして上記メモリモジュールをターミナル装置に機械的及び電気的に接続するためのインターフェイスを備え、上記メモリモジュールは、ユーザによってターミナル装置へ取り外し可能に取り付けられ、メモリモジュールをターミナル装置に機械的及び電気的に接触させることができるメモリモジュールが提供される。
【００１７】
本発明の第４の特徴によれば、ワイヤレス通信手段を有するターミナル装置において、特定の電子的コンテンツに関連したテイラー情報を記憶するための記憶装置を備え、この記憶装置をターミナル装置に機械的及び電気的に接続するためのインターフェイスを更に備え、このインターフェイスは、記憶装置をユーザによりターミナル装置へ取り外し可能に取り付けて、記憶装置をターミナル装置に機械的及び電気的に接触させることができ、記憶装置がターミナル装置に機械的及び電気的に接続されたときに記憶装置からターミナル装置へテイラー情報を読み取るための手段を更に備え、上記テイラー情報は、記憶装置がターミナル装置へ転送できるよう許可するところの特定の電子的コンテンツを定義し、そして記憶装置から読み取られたテイラー情報に基づいてターミナル装置への電子的コンテンツを受け取るように、ワイヤレス通信を経てテイラー情報を送信するための手段を更に備えたターミナル装置が提供される。
【００１８】
【発明を実施するための最良の形態】
本発明の上記及び他の目的並びに特徴は、添付図面を参照した好ましい実施形態の以下の説明から明らかとなろう。これは、本発明を単に例示するものであって、本発明をこれに限定するものではない。
図１は、本発明によるシステムの一実施形態を概略的に示す。ターミナル１０は、アクセスポイント２０とワイヤレス通信する。このアクセスポイント２０は、ターミナル１０へ転送できる情報を含んでもよいし、又はターミナルへ転送できる情報を有するコンピュータ３０に接続することもできる。更に、コンピュータ３０は、インターネット４０に接続することができる。このインターネット４０は、異なるユーザターミナルにより及びサービス又はコンテンツプロバイダーによりアクセスできるコンピュータネットワークを表わす。例えば、パブリッシャー５０のようなサービスプロバイダーがインターネット４０に接続される。
【００１９】
図２は、本発明のターミナル１０の実施形態を詳細に示すブロック図である。ターミナルは、ディスプレイ１１２と、メモリ（ＲＡＭ１１４及びＲＯＭ１１６）と、例えば、テキスト等を入力するためのキーパッドのような出力／入力ユニット１１８と、他のトランシーバ、例えば、アクセスポイント２０のトランシーバと通信するためのＲＦトランシーバ１２０と、アンテナ１２２と、ターミナルの種々の機能を制御するためのコントローラ又はＣＰＵ１２４とを備えている。従来の電話キーパッドもＱＷＥＲＴＹキーパッドも必要でない。というのは、この好ましい実施形態では、ユーザは、ダウンロードを受け入れて、ダウンロードされた項目から選択を行い、そしておそらくはダウンロードされた情報においてブラウズするだけでよいからである。従って、全キーパッドではなく、上記機能を制御するための機能をもつキーだけで充分である。更に、本発明の好ましい実施形態では、ターミナルは、カードリーダー１２６を有する。ＣＰＵ１２４は、このカードリーダー１２６を制御する。更に、ターミナルは、通常、電源としてバッテリパック（図示せず）を備えている。トランシーバ１２０は、アクセスポイント２０と「ブルーツース（Ｂｌｕｅｔｏｏｔｈ）」のようなショートレンジの低電力ＲＦ通信を実行できるのが好ましいが、必要ではない。ターミナル１０は、スマートカードリーダー１２６へのスマートカード５８（図３）を受け入れるためのスロット（図示せず）をもつことができる。
【００２０】
スマートカード即ち電子チップカードは、通常、従来のクレジットカードのサイズであり、片面に６個又は８個の電気的コンタクトを有し、メモリ付きの集積回路を内部に含み、そしてマイクロプロセッサを備えている。データ及びこれを操作しそしてカードの外部と通信するためのプログラムが集積回路に含まれる。過去に、プリペイドカードのようなカードが、特に、公衆の有料電話がコインではなくプリペイドカードを受け入れるフランスやドイツで電話サービスの購入に広く使用されている。通常、プリペイドカードは、郵便局で特定の金額で購入される。カードは、公衆有料電話に挿入され、コンタクトへの接続がなされ、そして電話通話が進行するにつれてカードから額面金額の単位が除去される。カードの機械的及び電気的仕様は標準化され、そして１組の規格が、１００３６、ニューヨーク州、ニューヨーク、１１ウェスト４２ストリートのＡＮＳＩ（アメリカン・ナショナル・スタンダード・インスティテュート）により、「Ｉｄｅｎｔｉｆｉｃａｔｉｏｎ ｃａｒｄｓ　Ｉｎｔｅｇｒａｔｅｄ ｃｉｒｃｕｉｔ（ｓ） ｃａｒｄｓ ｗｉｔｈ ｃｏｎｔａｃｔｓ」というタイトルで発行されている（ＩＳＯ７８１６−１及びＩＳＯ７８１６−２＊）。
【００２１】
スマートカードは、例えば、ＧＥＭＰＬＵＳカードインターナショナル、Ａｖｅｎｕｅ ｄｕ Ｐｉｃ ｄｅ Ｂｅｒｔａｇｎｅ， Ｐａｒｃ ｄ’ａｃｔｉｖｉｔｅｓ ｄｅ ｌａ Ｐｌａｉｎｅ ｄｅ Ｊｏｕｑｕｅｓ， １３４２０ Ｇｅｍｅｎｏｓ， Ｆｒａｎｃｅを含む多数の会社で製造され市販されている。
プリペイドカードを使い切り、即ちカードの額面金額の全単位が通話に使用されると、ユーザは、サービスの利用を続けるために、別のカードを購入するか、又は空のカードに補充しなければならない。
前もって購入されそしてターミナルに挿入されるスマートカードは、購入後に権利がアクティブとなる。カードに対するアクティビティは、ある期間中だけ与えられる。従って、アクティビティは、カードに与えられた期限に依存する。
【００２２】
カードを紛失しそして第三者がカードを使用しようと試みた場合には、悪用を防止するために次の手順をアクチベートすることができる。商品／サービスをアクセスポイントから転送するのを許す前に、「ブルーツース」アドレスと同じであるターミナルのＩＤが、カードＩＤと一緒に、アクセスポイント２０に転送される。ターミナルＩＤの情報は、ユーザがカードを購入した購入場所からサーバー５０へ転送されてもよく、従って、購入時にカードＩＤ及びターミナルＩＤをリンクしてサーバーへ送信することができる。アクセスポイント２０は、カードＩＤとターミナルＩＤの組合せを比較し、そしてそれが一致した場合に、アクセスポイントが、コンテンツプロバイダーからターミナルへのコンテンツの転送を許可する。ＩＤ比較は、コンピュータにおいて行われてもよいし、又はアクセスポイントから更に離れて、例えば、インターネット４０において行われてもよい。ターミナルＩＤの情報は、ユーザがカードを購入した購入場所からサーバー５０へ転送されてもよく、従って、購入時にカードＩＤ及びターミナルＩＤをリンクしてサーバーへ送信することができる。
【００２３】
図３を参照し、上述したスマートカード１３８のようなカードについて説明する。スマートカードは、ＣＰＵ１４０と、シリアルナンバーのようなスマートカード識別コード１４２と、テイラー（仕立て）パラメータレジスタ１４４と、ターミナル１０（カードリーダー１２６）に機械的及び電気的に接触できるようにするためのコンタクト１４６とを備えている。テイラーパラメータ１４４は、カードＩＤと共に、スマートカードメモリ（１５０）に記憶される。カードがターミナル１０に挿入され、そしてカードからターミナルへ情報が読み取られた後に、テイラーパラメータ１４４は、カードＩＤ（１４２）と共に、アクセスポイント２０により、アクセスポイント／キオスク２０とターミナル１０との間に延びる「ブルーツース」リンク（又は他のショートレンジワイヤレスリンク）を経てアクセスすることができる。商品／サービスの供給のオファーがアクセスポイントによりターミナルに取り込まれるたびに、ターミナルは、それを受け入れるか又は拒絶することができる。カードの有効期間は、スマートカード１３８に記憶された有効性レジスタと、サービスプロバイダー又はコンテンツプロバイダーのアクセスポイント２０に記憶された有効性テーブルとを比較することによりチェックされる。カードの有効性は、毎月又は毎年のように周期的に支払われる料金に基づいてもよい。支払金額を受け取った後に、それに対応するエントリーが有効性レジスタに生じる。
【００２４】
集積回路上に存在するスマートカードの種々の要素については、マイクロプロセッサ及び多数のレジスタは、全て、単一チップ内に収容される。又、情報は、スマートカードメモリ内の独特のスペースに割り当てられる必要はなく、例えば、レジスタ内の種々の数字は、マイクロプロセッサの制御のもとで移動されてもよい。これは、特定のスマートカードチップの設計に基づく。
スマートカードのシリアルナンバー、及びおそらくは、有効期間のような他の機能は、製造時又は製造後に集積回路に書き込まれる。このようなデータを入力するためのいかなる便利な又は従来の形式の回路及び方法を使用してもよい。
【００２５】
図４には、本発明のレジスタの一実施形態が示されている。参照番号８０は、アクセスポイントの位置レジスタを示す。サービスプロバイダーは、アクセスポイントの地理的位置情報をマネージする。アクセスポイントは、そのアクセスポイントにおけるユーザに関する情報を収集する。位置情報は、アクセスポイント２０のコンピュータ３０にリンクされる。スマートカードメンテナンス及び有効性レジスタ９０もコンピュータ３０にリンクされる。コンテンツ記述及び利用性データベース１９０は、図４に示すように、コンピュータシステム３０の一部分である。アクセスポイントのスマートカードＩＤレジスタ７０は、データの転送を制御できるようにする。
【００２６】
アクセスポイント位置又はトランシーバ位置レジスタ８０は、図４に示すように、異なるサイトに位置するアクセスポイントに関する情報を含む。図５には、このようなレジスタが示され、トランシーバ又はアクセスポイントＩＤ、例えば、トランシーバＮｏ．１が、１つの列に示されている。次いで、各アクセスポイントの位置、例えば、２８１００１ｃｉｔｙが、第２の列に示されている。供給すべき情報は、アクセスポイントの位置情報を使用して探索できる。例えば、その位置に基づいて広告を配布することができ、この情報は、この特定のエリアで販売されたカードにリンクすることができる。それ故、８１３９００８８７７のようなＩＤを有するスマートカードＩＤ列をこのレジスタに追加することができる。スマートカードＩＤとアクセスポイントの位置をリンクする他の多数の方法を使用できることが理解されよう。
【００２７】
図６は、スマートカードメンテナンス及び有効性レジスタ９０の一例を示す。このレジスタ９０は、スマートカードＩＤ列と、カードが有効であるかどうかを示す「イエス」又は「ノー」の形態のカードの有効性データを有する「有効性」列と、アクセスポイントから転送できるＡＡＡ又はＢＢＢのようなコンテンツを有するコンテンツ記述列と、コンテンツを入手できる位置を表わす位置列と、例えば、２０００年１月のようなカード有効期間データを示す「有効期限」列と、コンテンツの使用状態、即ち何人のユーザがカードに対して支払したか、又はアクセスポイントから何回の転送が行われたか、例えば、５０又は１００のような情報（この情報は後で使用される）を伴う「使用単位」の列とを含む。
【００２８】
図７は、コンテンツ記述及び利用性データベース１９０におけるレジスタの一例を示す。レジスタ１９０は、コンテンツＩＤデータの列と、ニュース及びおそらくはローカルニュース情報又は他の特定タイトルのようなコンテンツ記述データを伴う列とを有する。更に、コンテンツの利用性データ、即ちどの位置でコンテンツが見つかるかに関する情報を伴う列を有する。ＤＲＭ即ちデジタル権利マネージメント情報データの列は、特定の版権支払が構成された別のサーバーへのリンクを有する。この場合も、データを後で使用するために、コンテンツの使用状態データに対する列もある。図５ないし７は、一例として示されたものに過ぎず、多数の変更が可能であることを理解されたい。
【００２９】
図９に示すスマートカードＩＤレジスタ７０の実施形態において、ターミナルへ転送されるべきコンテンツの仕立てを処理するテイラーパラメータレジスタ７２と、考えられる証明レジスタ７４は、コンテンツを供給するのにパスワードが必要とされる（即ち要求される）場合には、パスワードで、商品／サービス又はコンテンツレジスタ７６に各々接続される。プリペイドカードから転送された証明と、レジスタに記憶された証明との間の比較が、マイクロプロセッサにおいて実行される。或いは又、個別のカウンタ又は比較器（図示せず）において比較を行うこともできる。
図５ないし７及び図９のレジスタは、互いに極めて密接に関連し、そして好ましい実施形態ではアクセスポイントに接近して配置するか、又はコンテンツプロバイダー位置のような他の位置に配置して、グローバルなコンテンツ又はさもなければ付加的なコンテンツを得ることができる。この場合も、これらの位置は、ここに示したものに限定されず、他の入手可能な解決策も使用できる。
【００３０】
図８を参照してコンテンツ情報を供給する本発明による方法を説明する。ステップ２００においてコンテンツフィルタリングパラメータ（即ちテイラーパラメータ）１４４をスマートカード１３８に記憶し、そしてカードをターミナル１０に挿入した後に、ステップ２２０においてカードからターミナルへ情報が読み取られる。ターミナル１０のユーザがアクセスポイント２０のセルに入った後に、コンテンツ供給装置又はアクセスポイント２０は、ステップ２４０においてターミナル１０へ問合せを送信する。ターミナル１０により問合せが確認された場合に、ターミナル１０は、ステップ２５０においてアクセスポイント２０に応答し、そしてターミナル１０とアクセスポイント２０との間の接続が開く。次いで、ステップ２７０において、ターミナルがカードのアプリケーションをサポートするかどうかチェックする。「イエス」であれば、ステップ２８０において、アクセスポイント２０により、アクセスポイント／キオスク２０とターミナル１０との間に延びる「ブルーツース」リンクを経てテイラーパラメータをアクセスすることができる。ここで、カードからターミナルの「ブルーツース」トランシーバシステムへ転送されたテイラーパラメータに基づいて、ステップ２８０において、コンテンツがターミナルへ供給される。その答えが「ノー」であれば、ステップ２９０において、ターミナルとアクセスポイントとの間の接続が終了となる。
【００３１】
スマートカードメンテナンス及び有効性データベース９０から受け取った料率データは、コンテンツ記述及び利用性データベース１９０のレジスタに記憶され、この情報は、例えば、デジタル権利マネージメント（ＤＲＭ）目的、ユーザの分析、例えば、アクセスポイントのプリペイドセンターにおいて消費者の好みを追跡することによりネットワークからダウンロードされた特定項目の考えられる好み又は振舞いの制御に使用される。この情報は、後で、そのアクセスポイントにおける異なる項目の利用性を制御するのに使用されてもよい。おそらく、デジタルコンテンツの消費に基づき、情報（上述した料率データのような）は、アクセスポイントの位置の近くで、アクセスポイントに接近したローカルキャッシュ又はプロキシー型デバイスにおいて使用できるように構成される。次いで、ステーションは、ユーザに非常に高速なダウンロードを与えることができ、そしてネットワークのダウンロードは、ネットワーク全体に著しい負荷を生じない。しかしながら、ダウンロード可能な情報は、アクセスポイントに、例えば、１ヶ月に一度、出版会社のようなコンテンツプロバイダーによる情報の公開に基づき、マガジンＮｏ．１、マガジンＮｏ．２、マガジンＮｏ．３等、映画Ｎｏ．１、映画Ｎｏ．２、映画Ｎｏ．３等のパッケージとして記憶されることが明らかである。アクセスポイントにおける情報パッケージの記憶は、ほとんど全ての再現／編集／記録記憶装置から情報転送の形態で行うことができる。転送は、ネットワーク接続を経て行うこともできるし、或いは情報は、ＣＤ、ＭＰ３、デジタルビデオディスク（ＤＶＤ）、ビデオカセットテープ等のハードウェアとしてショップに配布することができる。受信時に、商人は、受信ハードウェアからアクセスポイントへインストールすることができる。他の考えられる配布チャンネルは、ワイヤレス移動通信、例えば、ＧＰＲＳ、ＥＤＧＥ、３Ｇ、ＵＭＴＳ、ＤＶＢ−Ｔ等である。次いで、各受信システムがアクセスポイントにインストールされる。ＤＶＢ−Ｔ送信は、送信時間が安価でそしてネットワークの使用が少なく、例えば、夕方遅く、朝早く又は夜間であるときに行うことができる。
【００３２】
アクセスポイントにおいてダウンロードを記録しそしてその情報を上記レジスタ（図５−７）に追加すると、何人のユーザにコンテンツをダウンロードしそしてどんなコンテンツをダウンロードしたか明らかになる。それ故、音楽作品の版権義務の存在が容易に管理され、そして版権所有者又はメディア業界は、版権に対するロイヤリティを収集することができる。
【００３３】
スマートカードがカードリーダーによって読み取られそしてカードの有効性が確認されると、選択された契約を見たり聴いたりすることができる。音楽コンテンツは、音楽コード（カントリーコード、ワークコード）、音楽作品の名前、音楽作品の時間、アーティストの名前、アーティストのカントリーコード、製造年月日、試写の利用性、オリジナルディスクの所有者、オリジナルディスクの所有者のカントリーコード、共有者及び共有者のカントリーコードの少なくとも１つを含む。
【００３４】
いわゆるＯＢＥＸ即ちオブジェクト交換プロトコルは、アクセスポイントと受信ターミナル装置との間でテイラーパラメータを搬送するメカニズムとして使用することができる。ＯＢＥＸは、若干融通性があって簡単であり、そしてテイラーパラメータを検索するプロセスを将来「ブルーツース」ターミナルのみに対してオープンしなければならない場合に、１つの既存の「ブルーツース」プロファイルのフレームワーク内で使用することができる。
【００３５】
上述したように、ターミナルごとに供給されるべきコンテンツを仕立てることができるようにするため、テイラーパラメータがスマートカードに記憶される。特定のターミナルに供給される情報は、好み、設定等に基づいて仕立てられる。それらは、例えば、米国特許第５，７５４，９３９号に開示されたように、著者、文書が書かれた言語、作成日、最終更新日、ワードの長さ、読み取りレベル、編集エージェントにより等級付けされる文書のクオリティ、この文書（連想）を検索した他の読者のリスト、各ターゲットオブジェクトの属性、郵便番号の最初の２桁、郵便番号の最初の３桁、全５桁の郵便番号、広告主の最至近の店先から住居までの距離、家族の年収、子供の人数、この潜在的な顧客（連想）により購入されそしてスマートカードにテイラーパラメータとして記憶された以前の項目のリストであるが、これに限定されるものではない。次いで、この場合も、供給装置とターミナルとの間で「ブルーツース」リンクを使用して情報供給が行われる。しかしながら、転送可能なデータを含む他の可能性は、装飾のカタログである。ユーザは、壁紙モデルをターミナルへロードし、次いで、この情報を家に「運ぶ」。次いで、ユーザは、自分の家の壁に対してこれらのパターンを見ることができる。イメージ、写真、オンラインアルバム、Ｊａｖａアプレットのようなアプリケーションが含まれる。コンテンツをフィルターするためのパラメータは、マガジン発行Ｎｏ．１−３、映画のシリーズ：例えば、最初の３つの作品、売り出し中の新規マガジンの１つの無料コピーのような広告としての冊子の契約を含む。
【００３６】
多数のターミナルがアクセスポイントにより提供されるサービスにアクセスするときの状態に関する本発明の更に別の実施形態を説明する。本発明は、ターミナル装置及びアクセスポイントの両方に１つのショートレンジＲＦトランシーバを使用することにより実施できるが、この更に別の実施形態は、２つのトランシーバで実施されるアクセスポイントを備え、その一方は、ターミナル装置からテイラーパラメータを受信するのに使用され、そしてその他方は、ターミナル装置へ電子的コンテンツを送信するのに使用される。従って、第２のターミナル２０は、少なくとも第１トランシーバモジュール１０４と、第２トランシーバモジュール１０６（図１０）とを備えている。第１ターミナル２０と、第２ターミナル２０の第１トランシーバモジュール１０４との間に第１通信リンク１１８が確立され、第２ターミナル２０の第１トランシーバモジュール１０４と、第１ターミナル１０の第２トランシーバモジュール１０６との間には通信バス１２０が確立されて、第１ターミナル（アクセスポイント）２０と、第２ターミナルの第１トランシーバモジュール１０４との間に通信に関する情報が転送される。第２トランシーバモジュール１０６と第１ターミナル２０との間には、第１トランシーバモジュール１０から受信した情報に基づいて第２通信リンク１２２が各々確立される。トランシーバモジュールの数は、特定サイトのニーズ等に基づいて変化することを理解されたい。
【００３７】
本発明の更に別の実施形態によれば、図１１は、第２ターミナルとワイヤレス通信できる第１ターミナルから信号を送信する方法を示す。第１ステップ３００において、少なくとも第１トランシーバモジュール１０４及び第２トランシーバモジュール１０６を含む第２ターミナル２０は、第２ターミナル１０と、第１ターミナルの第１トランシーバモジュール１０４との間に第１通信リンク１１８を確立する。ステップ３０２において、第１ターミナル１０と、第１ターミナルの第１トランシーバモジュール１０４との間の第１通信に関する情報が、第２ターミナルの第１トランシーバモジュール１０４と第２トランシーバモジュール１０６との間の通信バス１２０を経て転送される。ステップ３０４では、第２トランシーバモジュール１０６と、第１トランシーバモジュール１０４から受信された情報により識別された第１ターミナル１０との間に第２通信リンク１２２が確立される。
【００３８】
本発明によれば、第１及び第２トランシーバモジュール１０４及び１０６は、所定の機能を有し、その第１モジュールは、問合せを行って、ターミナル２０から第２トランシーバモジュール１０６へ情報を転送し、従って、第２ターミナル２０は、その第２トランシーバモジュール１０６から第１ターミナル１０にコンタクトし、第１ターミナル１０にデータを供給する。上記方法は、データ転送の効率を向上することができる。
【００３９】
図１２は、特殊な役割をもつ２つの個別の「ブルーツース」モジュール１０４及び１０６を単一のデバイスにいかに一体化するかの一実施形態を示す。この例では、問合せと、サービスディスカバリー機能が、「ブルーツース」モジュール１（１０４）で取り扱われ、そしてＲＦＣＯＭＭベース機能（「ブルーツース」仕様で規定された）及び他のユーザデータ関連トラフィックが「ブルーツース」モジュール２（１０６）で取り扱われる。図１２では、「ブルーツース」モジュール１（１０４）及び「ブルーツース」モジュール２（１０６）の各々は、３つの別々の「ブルーツース」チップ１３０を含むが、チップの数は、必要に応じて１から任意の数までのいずれでもよい。各チップ１３０は、当業者に良く知られたように、ドライバ部分１３２と、「ブルーツース」プロトコルスタックの少なくとも下位層を実施する（全プロトコルスタックが実施されるか下位層のみが実施されるかは、トランシーバのグループがリンクされる制御エンティティ即ちコンピュータの役割に依存する）モジュール部分１３４と、ＲＦトランシーバ部分１３６とを含む。本発明によれば、動作上別々の２つの「ブルーツース」モジュール１０４及び１０６、即ち「ブルーツース」モジュール１（１０４）及び「ブルーツース」モジュール２（１０６）がある。これらのモジュール１０４及び１０６は、これらモジュールを独立して動作できるように別々のベースバンドアドレスを有する。モジュール１（１０４）は、発見可能でありそして他の「ブルーツース」イネーブルデバイス１０に接続可能である。モジュール２（１０６）は、発見不能でありそして他の「ブルーツース」イネーブルデバイス１０に接続不能であり、従って、問合せ及び他のリンク及びサービス情報は、このモジュール１０６には到達し得ない。モジュール間にはデータバス１２０があり、モジュール１０４と１０６との間でデータ転送することができる。
【００４０】
通常のウェブブラウザから良く知られているブラウザベースのコンテンツアクセスモデルは、本発明によってターミナル装置に含ませることのできる魅力的な特徴を有する。第１の非常に魅力的な特徴は、コンテンツをユーザのニーズ及び好みに仕立てられることである。ブラウザベースのモデルでは、通常、ユーザは、インターネットのコンテンツ集合サイトで自分のパーソナルプロフィールを順向に作成し、その後、このコンテンツ集合サイトにアクセスするたびに自分のプロフィールへと仕立てられたコンテンツを見る。典型的な例は、「Ｍｙ Ｙａｈｏｏ」又は「Ｍｙ Ｌｙｃｏｓ」である。ｅ−メールにより供給されるコンテンツも、ユーザが率先してプロフィールを一般的に埋めそしてメールによって受信しようとするコンテンツの形式を集合ウェブサイトに記入して仕立てることができる。ブラウザベースモデルの第２の非常に魅力的な特徴は、ブラウザを使用して特定されるコンテンツテイラー情報が、コンテンツプロバイダーサイトに（通常、コンテンツ集合サイト）に記憶され、特定のデバイスには記憶されないことであり、これは、コンテンツにアクセスするためにどんな装置を使用できるかについて多大な融通性を与える。「Ｍｙ Ｙａｈｏｏ」の上記例では、ユーザは、ＰＣ又はＰＤＡのいずれを使用してインターネットに接続するかに関わらず、その仕立てられた「Ｍｙ Ｙａｈｏｏ」ページにアクセスすることができる。効率的な受動的コンテンツアクセスモデルは、特定のプラットホームとは独立したできるだけ高いコンテンツテイラー（仕立て）能力を与えねばならない。
【００４１】
従って、本発明は、スマートカードから読み取られてアクセスポイントへ供給されるテイラーパラメータに基づく特定の電子的コンテンツをターミナル装置で受信することに関するものであるが、ターミナル装置には、テイラーパラメータにより特定されるものを除く他の情報をアクセスするために通常のウェブ又はＷＡＰブラウザを依然として装備することができる。
それ故、上述した実施形態は、本発明を例示するものに過ぎず、特許請求の範囲に規定された本発明の範囲から逸脱せずに、その構造、方法及び構成を種々変更できることが明らかであろう。
【図面の簡単な説明】
【図１】
本発明によるシステムの実施形態を示す回路図である。
【図２】
本発明によるターミナルの実施形態を示すブロック図である。
【図３】
スマートカードを示す概略図である。
【図４】
本発明に使用されるレジスタの一実施形態を示す図である。
【図５】
本発明によるトランシーバ位置レジスタの実施形態を示す図である。
【図６】
本発明のスマートカードメンテナンス及び有効性レジスタの一実施形態を示す図である。
【図７】
本発明のコンテンツ記述及び利用性データベースの一実施形態を示す図である。
【図８】
本発明によるコンテンツ情報を供給する方法の一実施形態を示すフローチャートである。
【図９】
スマートカードＩＤレジスタの一実施形態を示す図である。
【図１０】
本発明によるアクセスポイントの一実施形態を示すブロック図である。
【図１１】
第２ターミナルとワイヤレスで通信できる第１ターミナルから信号を送信するための本発明の方法の一実施形態を示す図である。
【図１２】
２つの個別の「ブルーツース」モジュールを単一の装置にいかに一体化するかの一実施形態を示す図である。
【図１】
2004515009.tif 000003
【図２】
2004515009.tif 000004
【図３】
2004515009.tif 000005
【図４】
2004515009.tif 000006
【図５】
2004515009.tif 000007
【図６】
2004515009.tif 000008
【図７】
2004515009.tif 000009
【図８】
2004515009.tif 000010
【図９】
2004515009.tif 000011
【図１０】
2004515009.tif 000012
【図１１】
2004515009.tif 000013
【図１２】
2004515009.tif 000014
【国際公開パンフレット】
2004515009.tif 000015
2004515009.tif 000016
2004515009.tif 000017
2004515009.tif 000018
2004515009.tif 000019
2004515009.tif 000020
2004515009.tif 000021
2004515009.tif 000022
2004515009.tif 000023
2004515009.tif 000024
2004515009.tif 000025
2004515009.tif 000026
2004515009.tif 000027
2004515009.tif 000028
2004515009.tif 000029
2004515009.tif 000030
2004515009.tif 000031
2004515009.tif 000032
2004515009.tif 000033
2004515009.tif 000034
2004515009.tif 000035
2004515009.tif 000036
2004515009.tif 000037
2004515009.tif 000038
2004515009.tif 000039
2004515009.tif 000040
2004515009.tif 000041
2004515009.tif 000042
2004515009.tif 000043
2004515009.tif 000044
2004515009.tif 000045
2004515009.tif 000046
2004515009.tif 000047
2004515009.tif 000048
2004515009.tif 000049
2004515009.tif 000050
2004515009.tif 000051
【国際調査報告】
2004515009.tif 000052
2004515009.tif 000053
2004515009.tif 000054